(57)【要約】【課題】蓋の取り外しが容易であるともに、安全性が高い蓋取り付け構造を提供すること。【解決手段】開口部（３）を覆う蓋（５）と、蓋を支持する第１の支持ユニット（７）及び第２の支持ユニット（９）とを備え、蓋は、第１の棒状部材（１５）及び第２の棒状部材（２５）を備え、第１の支持ユニットは第１の棒状部材を差し込むことができる第１の溝（４５）を備え、第２の支持ユニットは第２の棒状部材を差し込むことができる第２の溝（４５）を備え、第１の溝及び第２の溝は、それぞれ、溝の入口（４７）よりも溝の先端（４９）の方が、開口部の中心３Ａ側にある形状を有し、第１の棒状部材と第２の棒状部材との間隔Ｘは、第１の溝における入口と第２の溝における入口との間隔Ｙよりも小さく、且つ、第１の棒状部材を第１の溝に差し込んだ状態で、第２の棒状部材を第２の溝に差し込むことができる長さであることを特徴とする蓋取り付け構造（１）。【選択図】図１
2017008665.tif 000002
【特許請求の範囲】
【請求項１】
開口部を覆う蓋と、
前記開口部における一方の端部に設けられ、前記蓋を支持する第１の支持ユニットと、
前記開口部における前記一方とは反対側の端部に設けられ、前記蓋を支持する第２の支持ユニットと、
を備えた蓋取り付け構造であって、
前記蓋は、その一方の端部に第１の棒状部材を備えるとともに、その反対側の端部に第２の棒状部材を備え、
前記第１の支持ユニットは、その上端に、前記第１の棒状部材を差し込むことができる第１の溝を備え、
前記第２の支持ユニットは、その上端に、前記第２の棒状部材を差し込むことができる第２の溝を備え、
前記第１の溝及び前記第２の溝は、それぞれ、溝の入口よりも溝の先端の方が、前記開口部の中心側にある形状を有し、
前記第１の棒状部材と前記第２の棒状部材との間隔Ｘは、前記第１の溝における前記入口と前記第２の溝における前記入口との間隔Ｙよりも小さく、且つ、前記第１の棒状部材を前記第１の溝に差し込んだ状態で、前記第２の棒状部材を前記第２の溝に差し込むことができる長さであることを特徴とする蓋取り付け構造。
【請求項２】
前記第１の溝又は前記第２の溝に臨む下端面は、その少なくとも一部に、溝の先端側にゆくほど下がる傾斜を有することを特徴とする請求項１に記載の蓋取り付け構造。
【請求項３】
前記第１の溝又は前記第２の溝に臨む下端面は、溝の先端側が落ち込んだ段差を有することを特徴とする請求項１又は２に記載の蓋取り付け構造。
【請求項４】
前記入口において前記第１の溝又は前記第２の溝に臨む端面であって、前記中心側とは反対側の端面は、前記中心側に張り出す形状を有することを特徴とする請求項１〜３のいずれか１項に記載の蓋取り付け構造。
【発明の詳細な説明】
【技術分野】
【０００１】
本発明は、蓋取り付け構造に関する。
【背景技術】
【０００２】
浄化槽等の槽には、改修工事等のときに人が出入りするための開口部が設けられている。通常時は、安全のために、開口部は蓋で覆われる（特許文献１参照）。
【先行技術文献】
【特許文献】
【０００３】
【特許文献１】実開平６−２７６８７号公報
【発明の概要】
【発明が解決しようとする課題】
【０００４】
改修工事等のときは、容易に蓋を取り外せることが望ましい。一方、通常時に、安易に蓋が外れてしまうと、安全性の点で問題となる。本発明は以上の点に鑑みなされたものであり、蓋の取り外しが容易であるともに、安全性が高い蓋取り付け構造を提供することを目的とする。
【課題を解決するための手段】
【０００５】
本発明の蓋取り付け構造は、
開口部を覆う蓋と、前記開口部における一方の端部に設けられ、前記蓋を支持する第１の支持ユニットと、前記開口部における前記一方とは反対側の端部に設けられ、前記蓋を支持する第２の支持ユニットと、を備えた蓋取り付け構造であって、前記蓋は、その一方の端部に第１の棒状部材を備えるとともに、その反対側の端部に第２の棒状部材を備え、前記第１の支持ユニットは、その上端に、前記第１の棒状部材を差し込むことができる第１の溝を備え、前記第２の支持ユニットは、その上端に、前記第２の棒状部材を差し込むことができる第２の溝を備え、前記第１の溝及び前記第２の溝は、それぞれ、溝の入口よりも溝の先端の方が、前記開口部の中心側にある形状を有し、前記第１の棒状部材と前記第２の棒状部材との間隔Ｘは、前記第１の溝における前記入口と前記第２の溝における前記入口との間隔Ｙよりも小さく、且つ、前記第１の棒状部材を前記第１の溝に差し込んだ状態で、前記第２の棒状部材を前記第２の溝に差し込むことができる長さであることを特徴とする。
【０００６】
本発明の蓋取り付け構造によれば、第１の支持ユニット及び第２の支持ユニットで支持した蓋を容易に取り外すことができる。また、本発明の蓋取り付け構造によれば、作業者の操作によらず蓋が外れてしまうような事態が生じにくく、安全性が高い。
【図面の簡単な説明】
【０００７】
【図１】蓋取り付け構造１の構成を表す平面図である。
【図２】第１の支持ユニット７の構成を表す斜視図である。
【図３】蓋５の構成を表す斜視図である。
【図４】蓋取り付け構造１の構成を表す側面図である。
【図５】第１の支持ユニット７及び第２の支持ユニット９の側面図である。
【図６】蓋５を第１の支持ユニット７及び第２の支持ユニット９に取り付ける方法、及び取り外す方法を表す説明図である。
【図７】蓋５を第１の支持ユニット７及び第２の支持ユニット９に取り付ける方法、及び取り外す方法を表す説明図である。
【図８】別形態の蓋５の構成を表す斜視図である。
【図９】別形態の蓋５の構成を表す斜視図である。
【図１０】図１０Ａ〜図１０Ｆは、溝４５の形状の例を表す側面図である。
【発明を実施するための形態】
【０００８】
本発明の実施形態を図面に基づき説明する。
＜第１の実施形態＞
１．蓋取り付け構造１の構成
蓋取り付け構造１の構成を図１〜図５に基づき説明する。蓋取り付け構造１は、開口部３に蓋５を取り付けるための構造である。開口部３は、浄化槽の天板４に設けられた、矩形の穴である。
【０００９】
蓋取り付け構造１は、開口部３を覆う蓋５と、第１の支持ユニット７と、第２の支持ユニット９と、を備える。
蓋５は、開口部３を覆う矩形の部材である。蓋５は、図３に示すように、一対の側面部材１１、１３と、棒状部材１５、１７、１９、２１、２３、２５とから成る。側面部材１１、１３は、長尺の板状部材である。棒状部材１５、１７、１９、２１、２３、２５は、それぞれ、断面が円形であり、同一の長さを有する円柱状の部材である。
【００１０】
棒状部材１５、１７、１９、２１、２３、２５は、それぞれ、その長手方向における一方の端部において側面部材１１と結合し、反対側の端部において側面部材１３と結合している。その結果、蓋５は、はしご状の形状を有する。棒状部材１５、１７、１９、２１、２３、２５は、互いに平行である。棒状部材１５、１７、１９、２１、２３、２５における、任意の隣接する２本の棒状部材の間隔は、人の足がその間に落ちない程度に設定されている。
【００１１】
棒状部材１５は、蓋５における一方の端部に位置する。棒状部材２５は、蓋５におけるその反対側の端部に位置する。棒状部材１５は、第１の棒状部材の一例であり、棒状部材２５は、第２の棒状部材の一例である。
【００１２】
棒状部材１７は、棒状部材１５に隣接する位置にある。棒状部材１７の上下方向（図３〜図５での上下方向）における位置は、棒状部材１５の上下方向における位置よりも上側にある。棒状部材２３は、棒状部材２５に隣接する位置にある。棒状部材２３の上下方向における位置は、棒状部材２５の上下方向における位置よりも上側にある。棒状部材１５、１９、２１、２５の上下方向における位置は同一である。
【００１３】
第１の支持ユニット７は、開口部３における一方の端部２７に、図示しないボルトにより取り付けられる。端部２７は開口部３の外縁を構成する鉛直面である。第１の支持ユニット７は蓋５を支持する。第２の支持ユニット９は、開口部３における、端部２７とは反対側の端部２９に、図示しないボルトにより取り付けられる。端部２９は開口部３の外縁を構成する鉛直面である。第２の支持ユニット９は蓋５を支持する。
【００１４】
第１の支持ユニット７は、図２に示す形状を有する。なお、第２の支持ユニット９も、第１の支持ユニット７と同様の形状を有するが、ここでは、代表して、第１の支持ユニット７について説明する。第１の支持ユニット７は、中央板３１と、一対の側板３３、３５と、補強板３７、３９とを備える。
【００１５】
中央板３１は矩形の板状部材である。側板３３は、中央板３１の左右方向における一方の端部において中央板３１に接続している、台形の板状部材である。また、側板３５は、中央板３１の左右方向における反対側の端部において中央板３１に接続している、台形の板状部材である。上方から見たとき、側板３３、３５は、それぞれ、中央板３１と直交している。上方から見たとき、中央板３１、側板３３、及び側板３５は、全体としてコノ字形状となる。
【００１６】
補強板３７は、その一端において中央板３１に接続し、反対の端部において側板３３に接続する。補強板３９は、その一端において中央板３１に接続し、反対の端部において側板３５に接続する。
【００１７】
第１の支持ユニット７は、中央板３１の背面側（側板３３、３５が存在する側とは反対側）が端部２７に接し、側板３３、３５の高さが等しくなるように、端部２７に取り付けられる。以下では、上記のように取り付けられた状態を、標準取付状態とする。特に指定しない限り、第１の支持ユニット７に関する説明は、第１の支持ユニット７が標準取付状態にあることを前提とする。
【００１８】
第１の支持ユニット７が標準取付状態にあるとき、側板３３及び側板３５の先端５１は、開口部３の中心３Ａの側にある（図１参照）。以下では、第１の支持ユニット７において、先端５１の側を中心側と呼ぶこともある。
【００１９】
中央板３１の上端３２と、側板３３の上端４１と、側板３５の上端４３とは、同一の水平面内にある。第１の支持ユニット７は、側板３３の上端４１に、溝４５を備える。溝４５は、上端４１において開口した入口４７から、先端４９まで続いている。溝４５は、先端４９まで棒状部材１５を差し込むことができる幅を有する。先端４９は、入口４７よりも、中心側にある。
【００２０】
なお、第１の支持ユニット７が備える溝４５は第１の溝の一例であり、第２の支持ユニット９が備える溝４５は第２の溝の一例である。
溝４５に臨む下端面５３は、その一部に、先端４９にゆくほど下がる傾斜５３Ａを有する。また、下端面５３は、先端４９の側が落ち込んだ段差５５を有する。段差５５は、下端面５３のうち、傾斜５３Ａが下がりきった位置にある。入口４７において溝４５に臨む端面であって、中心側とは反対側の端面５９は、中心側に張り出す形状を有する。この端面５９は、入口４７を狭窄している。第１の支持ユニット７は、側板３５の上端４３にも、上記と同様の溝４５を備える。
【００２１】
第１の支持ユニット７は、上端４１及び上端４３に、それぞれ、周囲よりも一段落ち込んだ凹部５７を備える。凹部５７は、溝４５よりも、先端５１に近い側（中心側）にある。
【００２２】
図４、図５に示すように、蓋５の棒状部材１５が、第１の支持ユニット７における側板３３、３５の溝４５に差し込まれることで、蓋５の一方の側は、第１の支持ユニット７によって支持される。また、蓋５の棒状部材２５が、第２の支持ユニット９における側板３３、３５の溝４５に差し込まれることで、蓋５の反対の側は、第２の支持ユニット９によって支持される。
【００２３】
ここで、棒状部材１５の中心側（図４、図５における右側）の端面１５Ａと、棒状部材２５の中心側（図４、図５における左側）の端面２５Ａとの間隔をＸとする。また、第１の支持ユニット７の入口４７において溝４５に臨む端面であって、中心側（図４、図５における右側）の端面６０と、第２の支持ユニット９の入口４７において溝４５に臨む端面であって、中心側（図４、図５における左側）の端面６２との間隔をＹとする。
【００２４】
間隔Ｘは、間隔Ｙよりも小さい。また、間隔Ｘは、後述する方法で、蓋５を第１の支持ユニット７及び第２の支持ユニット９に取り付け、また、蓋５を第１の支持ユニット７及び第２の支持ユニット９から取り外すことができる長さである。
【００２５】
蓋５の棒状部材１７は、第１の支持ユニット７における凹部５７により支持される。また、蓋５の棒状部材２３は、第２の支持ユニット９における凹部５７により支持される。
図５に示すように、蓋５が第１の支持ユニット７及び第２の支持ユニット９により支持されているとき、通常、棒状部材１５は、第１の支持ユニット７における溝４５のうち、段差５５よりも中心側にあり、棒状部材２５は、第２の支持ユニット９における溝４５のうち、段差５５よりも中心側にある。以下では、このときの蓋５の位置を、標準支持位置とする。
【００２６】
図５に示すように、蓋５が標準支持位置にあるとき、端面１５Ａは、端面６０よりも中心側にあり、端面２５Ａは、端面６２よりも中心側にある。また、端面１５Ａと、第１の支持ユニット７における先端４９との間には隙間があり、端面２５Ａと、第２の支持ユニット９における先端４９との間にも隙間がある。
【００２７】
２．蓋取り付け構造１の使用方法
蓋５を、第１の支持ユニット７及び第２の支持ユニット９に取り付ける方法、及び取り外す方法を、図６、図７に基づき説明する。
【００２８】
図６は、最初に、蓋５を第１の支持ユニット７で支持し、次に、第２の支持ユニット９で支持する方法を表す。当初、蓋５は、第１の支持ユニット７及び第２の支持ユニット９から取り外された状態にある。まず、棒状部材１５を、第１の支持ユニット７の溝４５に差し込む。そして、第１の支持ユニット７の溝４５における棒状部材１５の位置を、標準支持位置の場合よりも中心側に進め、棒状部材２５を第２の支持ユニット９における入口４７に差し込めるようにする。棒状部材２５を第２の支持ユニット９における入口４７に差し込んだ後、蓋５の位置を少し左側に移動して、標準支持位置とする。
【００２９】
以上の方法を逆の手順で行うことにより、蓋５を第１の支持ユニット７及び第２の支持ユニット９から取り外すことができる。まず、それまで標準支持位置にあった蓋５を少し右側に移動して、棒状部材２５を、第２の支持ユニット９の入口４７から取り出せる位置にもってくる。次に、棒状部材２５を持ち上げて、入口４７を通過させ、溝４５から取り出す。次に、次に、棒状部材１５を第１の支持ユニット７の溝４５から取り出す。
【００３０】
図７は、最初に、蓋５を第２の支持ユニット９で支持し、次に、第１の支持ユニット７で支持する方法を表す。当初、蓋５は、第１の支持ユニット７及び第２の支持ユニット９から取り外された状態にある。まず、棒状部材２５を、第２の支持ユニット９の溝４５に差し込む。そして、第２の支持ユニット９の溝４５における棒状部材２５の位置を、標準支持位置の場合よりも中心側に進め、棒状部材１５を第１の支持ユニット７における入口４７に差し込めるようにする。棒状部材１５を第１の支持ユニット７における入口４７に差し込んだ後、蓋５の位置を少し右側に移動して、標準支持位置とする。
【００３１】
以上の方法を逆の手順で行うことにより、蓋５を第１の支持ユニット７及び第２の支持ユニット９から取り外すことができる。まず、それまで標準支持位置にあった蓋５を少し左側に移動して、棒状部材１５を、第１の支持ユニット７の入口４７から取り出せる位置にもってくる。次に、棒状部材１５を持ち上げて、入口４７を通過させ、溝４５から取り出す。次に、次に、棒状部材２５を第２の支持ユニット９の溝４５から取り出す。
【００３２】
３．蓋取り付け構造１が奏する効果
（１Ａ）間隔Ｘは間隔Ｙよりも小さいため、蓋５が標準支持位置にあるとき、図５に示すように、端面１５Ａは、端面６０よりも中心側にあり、端面２５Ａは、端面６２よりも中心側にある。そのことにより、標準支持位置にある蓋５を真上に引き上げても、棒状部材１５、２５が溝４５から抜けることがない。その結果、蓋５が安易に外れてしまうことがない。
【００３３】
（１Ｂ）蓋５は、上述した方法により容易に、第１の支持ユニット７及び第２の支持ユニット９に取り付けることができ、また、蓋５は、上述した方法により容易に、第１の支持ユニット７及び第２の支持ユニット９から取り外すことができる。
【００３４】
また、図６に示すように、棒状部材１５は第１の支持ユニット７により支持された状態のまま、棒状部材２５を第２の支持ユニット９から取り外すこともできるし、図７に示すように、棒状部材２５は第２の支持ユニット９により支持された状態のまま、棒状部材１５を第１の支持ユニット７から取り外すこともできる。
【００３５】
（１Ｃ）第１の支持ユニット７及び第２の支持ユニット９は、傾斜５３Ａ及び段差５５を備える。図５に示すように、蓋５が標準支持位置にあるとき、棒状部材１５は、第１の支持ユニット７における溝４５のうち、段差５５よりも中心側にあり、棒状部材２５は、第２の支持ユニット９における溝４５のうち、段差５５よりも中心側にある。  
【００３６】
そのため、棒状部材１５及び棒状部材２５は、溝４５の入口４７の方向に移動しにくい。その結果、棒状部材１５及び棒状部材２５が溝４５から抜けてしまうことを抑制できる。
【００３７】
（１Ｄ）第１の支持ユニット７及び第２の支持ユニット９は、溝４５の入口４７に、中心側に張り出す形状を有し、入口４７を狭窄する端面５９を備える。そのことにより、棒状部材１５及び棒状部材２５が溝４５から抜けてしまうことを抑制できる。
【００３８】
（１Ｅ）第１の支持ユニット７は、凹部５７により棒状部材１７を支持する。また、第２の支持ユニット９は、凹部５７により、棒状部材２３を支持する。そのことにより、蓋５に下向きの荷重が加えられた場合でも、蓋５が変形しにくい。
＜その他の実施形態＞
（１）蓋５を構成する側面部材１１は、図８に示すように、２枚の側板１１Ａ、１１Ｂを、ボルト６３を用いて組み立てたものであってもよい。側板１１Ａ、１１Ｂには、それぞれ、長手方向に沿って複数のボルト孔が設けられており、側板１１Ａ側のボルト孔と、側板１１Ｂ側のボルト孔との組み合わせを変えることにより、側面部材１１の長さを調整することができる。
【００３９】
また、側面部材１３も、２枚の側板１３Ａ、１３Ｂを、ボルト６３を用いて組み立てたものであってもよい。側面部材１３も、側面部材１１と同様に、長さを調整することができる。
【００４０】
棒状部材１９、２１、２３、２５は、側板１１Ａ、１３Ａに結合し、棒状部材１５、１７は、側板１１Ｂ、１３Ｂに結合している。この蓋５は、その長さ（特に、棒状部材１５と棒状部材２５との間隔Ｘ）を調整することができる。
【００４１】
（２）蓋５は、図９に示すものであってもよい。この蓋５は、板状の本体部６５と、棒状部材６７、６９、７１、７３を備える。棒状部材６７、６９は、本体部６５における一方の側において、本体部６５の両側面から、外方向に向いて突出している。また、棒状部材７１、７３は、本体部６５における反対の側において、本体部６５の両側面から、外方向に向いて突出している。
【００４２】
棒状部材６７と棒状部材６９とは同軸上にあり、棒状部材７１と棒状部材７３とは同軸上にある。棒状部材６７と棒状部材７１との間隔Ｘは、棒状部材６９と棒状部材７３との間隔Ｘと同じであり、間隔Ｙよりも小さい。
【００４３】
棒状部材６７、６９は、第１の支持ユニット７における溝４５に差し込まれ、棒状部材７１、７３は、第２の支持ユニット９における溝４５に差し込まれる。
（３）溝４５の形状は適宜設計できる。例えば、図１０Ａ〜図１０Ｂに示す形状が挙げられる。図１０Ａに示すタイプでは、溝４５のうち、段差５５よりも中心側にある部分が長い。また、図１０Ａに示すタイプでは、凹部５７がない。図１０Ｂに示すタイプでは、溝４５のうち、段差５５よりも中心側にある部分が短い。また、図１０Ｂに示すタイプでは、凹部５７がない。図１０Ｃに示すタイプでは、傾斜５３Ａの形状が曲面であり、端面５９が中心側に張り出していない。図１０Ｄに示すタイプでは、傾斜５３Ａが溝４５の先端４９まで続いており、段差５５がない。図１０Ｅに示すタイプでは、端面５９が中心側に張り出していない。図１０Ｆに示すタイプでは、段差５５がない。
【００４４】
（４）蓋５を上方から見たときの形状は特に限定されず、例えば、円形、楕円形等とすることができる。円形、楕円形である場合、棒状部材１５、２５の形状は、真っ直ぐな棒形状であってもよいし、蓋５の外周の形状に応じて、湾曲した棒形状であってもよい。
【００４５】
（５）開口部３の形状は特に限定されず、例えば、円形、楕円形等とすることができる。蓋５の形状は、開口部３の形状に応じて適宜設計することができる。
（６）蓋５は、開口部３の全てを覆ってもよいし、一部を覆ってもよい。また、１つの開口部３を覆う蓋５が複数存在してもよい。
【００４６】
（７）蓋取り付け構造１は、浄化槽以外の各種槽、マンホール、タンク等の開口部に適用することができる。
【符号の説明】
【００４７】
１…蓋取り付け構造、３…開口部、３Ａ…中心、４…天板、５…蓋、７…第１の支持ユニット、９…第２の支持ユニット、１１、１３…側面部材、１１Ａ、１１Ｂ、１３Ａ、１３Ｂ…側板、１５、１７、１９、２１、２３、２５…棒状部材、１５Ａ、２５Ａ…端面、２７、２９…端部、３１…中央板、３２、４１、４３…上端、３３、３５…側板、３７、３９…補強板、４５…溝、４７…入口、４９…先端、５１…先端、５３…下端面、５３Ａ…傾斜、５５…段差、５７…凹部、５９、６０、６２…端面、６３…ボルト、６５…本体部、６７、６９、７１、７３…棒状部材
【図１】
2017008665.tif 000003
【図２】
2017008665.tif 000004
【図３】
2017008665.tif 000005
【図４】
2017008665.tif 000006
【図５】
2017008665.tif 000007
【図６】
2017008665.tif 000008
【図７】
2017008665.tif 000009
【図８】
2017008665.tif 000010
【図９】
2017008665.tif 000011
【図１０】
2017008665.tif 000012